(57)【要約】  【課題】セメント組成物の鏝捌き性（鏝切れ性、鏝伸び性等）に優れ、セメント組成物硬化体の耐水性に優れたセメント組成物粘性調整剤を提供することである。【解決手段】多価アルコール脂肪酸フルエステル（Ａ）を含んでなることを特徴とするセメント組成物用粘性調整剤を用いる。さらに多孔質粉体（Ｂ）を含んでなり、多孔質粉体（Ｂ）の含有量が多価アルコール脂肪酸フルエステル（Ａ）１００重量部に対して４０〜９９００重量部であることが好ましい。多価アルコール脂肪酸フルエステル（Ａ）が、グリセリン脂肪酸フルエステル、ポリグリセリン脂肪酸フルエステル、ソルビタン脂肪酸フルエステル、トリメチロールプロパン脂肪酸フルエステル及びショ糖脂肪酸フルエステルからなる群より選ばれる少なくとも１種であることが好ましい。【選択図】なし【特許請求の範囲】
【請求項１】
多価アルコール脂肪酸フルエステル（Ａ）を含んでなることを特徴とするセメント組成物用粘性調整剤。
【請求項２】
さらに多孔質粉体（Ｂ）を含んでなり、多孔質粉体（Ｂ）の含有量が多価アルコール脂肪酸フルエステル（Ａ）１００重量部に対して４０〜９９００重量部である請求項１に記載のセメント組成物用粘性調整剤。
【請求項３】
多価アルコール脂肪酸フルエステル（Ａ）が、グリセリン脂肪酸フルエステル、ポリグリセリン脂肪酸フルエステル、ソルビタン脂肪酸フルエステル、トリメチロールプロパン脂肪酸フルエステル及びショ糖脂肪酸フルエステルからなる群より選ばれる少なくとも１種である請求項１又は２に記載のセメント組成物用粘性調整剤。
【請求項４】
多孔質粉体（Ｂ）が１０〜５００ｍｌ／１００ｇのＤＢＰ吸油量をもつ粉体である請求項１〜３のいずれかに記載のセメント組成物用粘性調整剤
【請求項５】
セメント、水及び請求項１〜４のいずれかに記載のセメント組成物用粘性調整剤を含んでなることを特徴とするセメント組成物。
【発明の詳細な説明】
【技術分野】
【０００１】
本発明はセメント組成物粘性調整剤及びこれを含んでなるセメント組成物に関する。
【背景技術】
【０００２】
保水性、鏝すべり性、鏝切れ性及び再接着性防止に優れる水硬性材料用混和剤として、「水溶性セルロースエーテル（Ａ）及び水不溶性樹脂粒子（Ｂ）を必須とする水硬性材料用混和剤であって、
前記樹脂粒子（Ｂ）の平均粒子径が１〜５０μｍであり、
前記樹脂粒子（Ｂ）の比重が０．５〜１．５であり、
前記セルロースエーテル（Ａ）１００重量部に対する、前記樹脂粒子（Ｂ）の重量割合が５〜２００重量部である、水硬性材料用混和剤」が提案されている（特許文献１）。
【先行技術文献】
【特許文献】
【０００３】
【特許文献１】特開２０１５−１１７１７６号公報
【発明の概要】
【発明が解決しようとする課題】
【０００４】
従来の水硬性材料用混和剤を用いると、セメント組成物の鏝捌き性（鏝切れ性、鏝伸び性等）が不十分であるという問題に加え、セメント組成物硬化体の耐水性が不十分であるという問題がある。
本発明の目的は、セメント組成物の鏝捌き性（鏝切れ性、鏝伸び性等）に優れ、セメント組成物硬化体の耐水性に優れたセメント組成物粘性調整剤を提供することである。
【課題を解決するための手段】
【０００５】
本発明のセメント組成物用粘性調整剤は、多価アルコール脂肪酸フルエステル（Ａ）を含んでなる点を要旨とする。
【発明の効果】
【０００６】
本発明のセメント組成物用粘性調整剤は、セメント組成物に優れた鏝捌き性（鏝切れ性、鏝伸び性等）を付与でき、セメント組成物硬化体に優れた耐水性を付与できる。
【発明を実施するための形態】
【０００７】
多価アルコール脂肪酸フルエステル（Ａ）は、多価アルコールと脂肪酸とのフルエステルであれば制限なく使用でき、１種類の多価アルコールと複数種類の脂肪酸とのフルエステルであってもよく、１種類の多価アルコールと１種類の脂肪酸とのフルエステルであってもよく、これらのいずれかの混合物又はこれらの混合物であってもよい。
【０００８】
多価アルコールとしては、ジオール、トリオール及び４〜１４価のポリオールが含まれる。
ジオールとしては、炭素数２〜６のジオールが含まれ、エチレングリコール、プロピレングリコール、ブチレングリコール、イソブチレングリコール及びシクロヘキサンジオール等が挙げられる。
【０００９】
トリオールとしては、炭素数３〜６のトリオールが含まれ、トリメチロールエタン、トリメチロールプロパン、グリセリン、ヘキサントリオール及びシクロヘキサントリオール等が挙げられる。
【００１０】
４〜１４価のポリオールとしては、ポリグリセリン｛ジグリセリン、トリグリセリン、テトラグリセリン、ペンタグリセリン、ヘキサグリセリン、ヘプタグリセリン、オクタグリセリン、ノナグリセリン、デカグリセリン、ウンデカグリセリン、ドデカグリセリン等｝及び糖類｛ペンタエリスリトール、ジペンタエリスリトール、トリペンタエリスリトール、ソルビタン、ソルビトール、マンノース、グルコース、ガラクトース、スクロース、ラクトース、ラフィノース、メレジトース、アカルボース、スタキオース等｝等が挙げられる。
【００１１】
これらのうち、トリオール及び４〜８価のポリオールが好ましく、さらに好ましくはトリオール、特に好ましくはトリメチロールエタン、トリメチロールプロパン及びグリセリン、最も好ましくはグリセリンである。
【００１２】
脂肪酸としては、飽和脂肪酸及び不飽和脂肪酸が含まれる。
飽和脂肪酸としては、炭素数２〜３０の飽和脂肪酸が含まれ、直鎖飽和脂肪酸及び分岐飽和脂肪酸が使用できる。
【００１３】
直鎖飽和脂肪酸としては、酢酸、プロピオン酸、酪酸、吉草酸、カプロン酸、カプリル酸、ラウリン酸、ミリスチン酸、パルミチン酸、ステアリン酸、ベヘン酸、セロチン酸及びメリシン酸等が挙げられる。
【００１４】
分岐飽和脂肪酸としては、イソ酪酸、イソ吉草酸、ピバル酸及びイソステアリン酸等が挙げられる。
【００１５】
不飽和脂肪酸としては、炭素数３〜３０の直鎖不飽和脂肪酸が含まれ、直鎖不飽和脂肪酸及び分岐不飽和脂肪酸が使用できる。
【００１６】
直鎖不飽和脂肪酸としては、アクリル酸、クロトン酸、ヘプテン酸、ミリストレイン酸、パルミトレイン酸、オレイン酸及びトリアコンテン酸等が挙げられる。
【００１７】
分岐不飽和脂肪酸としては、メタクリル酸、イソミリストレイン酸及びイソオレイン酸等が挙げられる。
【００１８】
これらのうち、鏝捌き性及び耐水性の観点から、直鎖飽和脂肪酸及び直鎖不飽和脂肪酸が好ましく、さらに好ましくはラウリン酸、ミリスチン酸、パルミチン酸、ステアリン酸、クロトン酸、ヘプテン酸、ミリストレイン酸、パルミトレイン酸及びオレイン酸、特に好ましくはミリスチン酸、パルミチン酸、ステアリン酸、ミリストレイン酸、パルミトレイン酸及びオレイン酸、最も好ましくはパルミチン酸、ステアリン酸、パルミトレイン酸及びオレイン酸である。
【００１９】
多価アルコール脂肪酸フルエステル（Ａ）は、多価アルコールと脂肪酸とから公知の方法（エステル化反応）で製造してもよいし、動植物に由来するものを使用してもよく、市場からも容易に入手できるものも少なくない。
【００２０】
１種類の多価アルコールと複数種類の脂肪酸とのフルエステルとして、市場から入手できる商品としては、大豆油、ヤシ油、パーム油、アマニ油、綿実油及びナタネ油｛日清オイリオ株式会社｝等が挙げられる。
【００２１】
１種類の多価アルコールと１種類の脂肪酸とのフルエステルとして、市場から入手できる商品としては、トリミリスチン（グリセリンのミリスチン酸トリエステル）、トリステアリン（グリセリンのステアリン酸トリエステル）、トリオレイン（グリセリンのオレイン酸トリエステル）、トリパルミチン（グリセリンのパルミチン酸トリエステル）及びトリベヘニン（グリセリンのベヘニン酸トリエステル）{東京化成工業株式会社}等が挙げられる。
【００２２】
多価アルコール脂肪酸フルエステル（Ａ）の純度（重量％）は、多価アルコール脂肪酸フルエステルを主成分として含まれていれば制限はないが、８０以上が好ましく、さらに好ましくは９０以上、特に好ましくは９５以上である。この範囲であると、鏝捌き性がさらに良好となる。
【００２３】
純度は、多価アルコール脂肪酸フルエステルの状態等によって定量方法が決定され、公知の定量方法（液体クロマトグラフィー法、ガスクロマトグラフィー法等）によって定量される。
【００２４】
１種類の多価アルコールと複数種類の脂肪酸とのフルエステルの酸価（ｍｇＫＯＨ／ｇ）は、１５以下が好ましく、さらに好ましくは１０以下、特に好ましくは５以下、最も好ましくは２以下である。この範囲であると、鏝捌き性がさらに良好となる。
【００２５】
酸価は、ＪＩＳ  Ｋ００７０−１９９２の「３．１中和滴定」に準拠して測定される。
【００２６】
１種類の多価アルコールと１種類の脂肪酸とのフルエステルの水酸基価（ｍｇＫＯＨ／ｇ）は、１５０以下が好ましく、さらに好ましくは１００以下、特に好ましくは５０以下、つぎに好ましくは３０以下、さらに好ましくは１５以下、最も好ましくは１０以下である。この範囲であると、鏝捌き性がさらに良好となる。
【００２７】
水酸基価は、ＪＩＳ Ｋ００７０−１９９２の「７．１中和滴定法」に準拠して測定される。
【００２８】
本発明のセメント組成物用粘性調整剤には、さらに多孔質粉体（Ｂ）を含むことが好ましく、多孔質粉体（Ｂ）の含有量（重量部）は、多価アルコール脂肪酸フルエステル（Ａ）１００重量部に対して、４０〜９９００が好ましく、さらに好ましくは５０〜１９００、特に好ましくは６０〜９００である。多孔質粉体（Ｂ）を含むと、セメント組成物用粘性調整剤がスラリー状乃至粉体状になるためセメント等とさらに均一混合しやすくなる。
【００２９】
多孔質粉体（Ｂ）としては、多孔質粉体であれば制限がないが無機多孔質粉体が好ましく、さらに好ましくは酸化ケイ素、酸化アルミニウム、炭酸カルシウム及び炭酸マグネシウムからなる群より選ばれる少なくとも１種の多孔質粉体、特に好ましくは酸化ケイ素及び炭酸カルシウム、最も好ましくは酸化ケイ素である。
【００３０】
多孔質粉体（Ｂ）のフタル酸ジ−ｎ−ブチル（ＤＢＰ）吸油量（ｍｌ／１００ｇ）は、１０〜５００が好ましく、さらに好ましくは５０〜４００、特に好ましくは１００〜３００である。この範囲であると、セメント等とさらに均一混合しやすくなる。
【００３１】
ＤＢＰ吸油量は、ＪＩＳ  Ｋ５１０１−１９９１に準拠して、２５℃で測定される値である（多孔性粉体（Ｂ）にジブチルフタレート（ＤＢＰ）を滴下しつつ練り合わせ、全体がかたい１つの塊となる点を終点とする。）。
【００３２】
多孔質粉体（Ｂ）を含む場合、多価アルコール脂肪酸フルエステル（Ａ）及び多孔質粉体（Ｂ）を均一混合できれば、本発明のセメント組成物用粘性調整剤の製造方法に制限はなく、多価アルコール脂肪酸フルエステル（Ａ）及び多孔質粉体（Ｂ）を一括して混合する方法（１）、多価アルコール脂肪酸フルエステル（Ａ）に多孔質粉体（Ｂ）を少量ずつ連続又は分割して加えながら混合する方法（２）、多孔質粉体（Ｂ）に多価アルコール脂肪酸フルエステル（Ａ）を少量ずつ連続又は分割して加えながら混合する方法（３）、多価アルコール脂肪酸フルエステル（Ａ）と多孔質粉体（Ｂ）を少量ずつ連続又は分割して混合する方法（４）等が適用できる。これらのうち、製造効率の観点等から、方法（３）が好ましい。
【００３３】
多孔質粉体（Ｂ）を含む場合、多価アルコール脂肪酸フルエステル（Ａ）及び多孔質粉体（Ｂ）を混合する攪拌混合装置としては、公知の攪拌混合装置が使用でき、プロペラ型攪拌機、ディゾルバー、ホモミキサー、ボールミル、サンドミル、ニーダー、ラインミキサー、リボンミキサー、傾胴ミキサー、オムニミキサー及びヘンシェルミキサー等が挙げられる。
【００３４】
本発明のセメント組成物用粘性調整剤は、セメント組成物（セメントペースト、モルタル、コンクリート、セメントプラスター、ポリマーセメント、ポリマーモルタル、ポリマーコンクリート等）用粘性調整剤として好適である。また、本発明のセメント組成物用粘性調整剤は、石膏、漆喰、ドロマイトプラスター、ぱて、（粘土、珪藻土、ラッカーパテ、エポキシパテ、ポリエステルパテ、ラッカーパテ、炭酸カルシウムパテ等）等のコテ塗りにより塗装する際にも使用できる。
【００３５】
本発明のセメント組成物用粘性調整剤の使用量（重量％）は、多価アルコール脂肪酸フルエステル（Ａ）の重量がセメントの重量に基づいて、０．０１〜１０となる量が好ましく、さらに好ましくは０．０３〜５となる量、特に好ましくは０．０５〜３となる量である。この範囲であると、鏝捌き性がさらに良好となる。
【００３６】
本発明のセメント組成物は、セメント、水及び上記のセメント組成物用粘性調整剤を含んでいれば、調製方法やその他の添加剤の有無、各含有量等は通常のセメント組成物と変わらない。
【００３７】
セメントとしては、特に限定はなく、石膏及び／又はクリンカーを含んでいればよく、混合材料等を含んでいてもよい。
【００３８】
セメント組成物には、骨材（砂、砂利等）や添加剤（ＡＥ剤、減水剤、ＡＥ減水剤、湿潤剤、膨張剤、防水剤、遅延剤、増粘剤、凝集剤、収縮低減剤、強度向上剤、硬化促進剤、消泡剤等）を含んでもよい。
【実施例】
【００３９】
以下、特記しない限り、部は重量部を意味する。
＜実施例１＞
多価アルコール脂肪酸フルエステル（Ａ１；トリオレイン、東京化成工業株式会社、グリセリンのオレイン酸トリエステル、ガスクロマトグラフィーによる純度８０重量％）をそのまま、本発明のセメント組成物用粘性調整剤（１）とした。
【００４０】
＜実施例２＞
リボンミキサー（アルファー株式会社）を用いて、多孔質粉体（Ｂ１；Ｎｉｐｓｉｌ  ＮＡ、東ソー・シリカ株式会社、酸化ケイ素、ＤＢＰ吸油量２５０ｍｌ／１００ｇ、「Nipsil」は同社の登録商標である。）６０部に、多価アルコール脂肪酸フルエステル（Ａ２；ナタネ油、酸価０．１ｍｇＫＯＨ／ｇ、日清オイリオ株式会社）１００部を少量ずつ滴下して、均一混合することにより、本発明のセメント組成物用粘性調整剤（２）を得た。
【００４１】
＜実施例３＞
多孔質粉体（Ｂ１）６０部を、多孔質粉体（Ｂ２；Ｎｉｐｓｉｌ  ＥＲ、東ソー・シリカ株式会社、酸化ケイ素、ＤＢＰ吸油量１８０ｍｌ／１００ｇ）９００部に変更したこと以外、実施例２と同様にして、本発明のセメント組成物用粘性調整剤（３）を得た。
【００４２】
＜実施例４＞
多価アルコール脂肪酸フルエステル（Ａ２）を多価アルコール脂肪酸フルエステル（Ａ３；大豆油、酸価０．１ｍｇＫＯＨ／ｇ、日清オイリオ株式会社）に変更したこと以外、実施例２と同様にして、本発明のセメント組成物用粘性調整剤（４）を得た。
【００４３】
＜実施例５＞
多価アルコール脂肪酸フルエステル（Ａ２）を多価アルコール脂肪酸フルエステル（Ａ４；綿実油、酸価２ｍｇＫＯＨ／ｇ、日清オイリオ株式会社）に変更したこと以外、実施例２と同様にして、本発明のセメント組成物用粘性調整剤（５）を得た。
【００４４】
＜実施例６＞
多孔質粉体（Ｂ１）を、多孔質粉体（Ｂ３；ＳＩＬＹＳＩＡ  ３７０、富士シリシア化学株式会社、酸化ケイ素、ＤＢＰ吸油量３００ｍｌ／１００ｇ、「SILYSIA」は有限会社ワイ・ケイ・エフの登録商標である。）に変更したこと以外、実施例２と同様にして、本発明のセメント組成物用粘性調整剤（６）を得た。
【００４５】
＜実施例７＞
多孔質粉体（Ｂ１）を、多孔質粉体（Ｂ４；ＳＩＬＹＳＩＡ  ７１０、富士シリシア化学株式会社、酸化ケイ素、ＤＢＰ吸油量１００ｍｌ／１００ｇ）に変更したこと以外、実施例２と同様にして、本発明のセメント組成物用粘性調整剤（７）を得た。
【００４６】
＜比較例１＞
特許文献１の実施例４の記載に準拠して、リボンミキサー（アルファ株式会社）を用いて、水溶性セルロースエーテル（マーポローズ  ９０ＭＰ−４０００、松本油脂製薬株式会社、ヒドロキシプロピルメチルセルロース）１００部及び水不溶性樹脂粒子{マツモトマイクロスフェアーＭ−１００、松本油脂製薬株式会社、ＰＭＭＡ樹脂、平均粒子径８μｍ、比重１．２０）５０部を均一混合して、比較用のセメント組成物用粘性調整剤（Ｄ１）を得た。
【００４７】
（鏝捌き性評価方法）
実施例で得たセメント組成物用粘性調整剤（１〜７）及び比較例で得たセメント組成物用粘性調整剤（Ｄ１）と下表の配合成分の配合量とを用いて、モルタルミキサーにて均一混合してセメント組成物（１〜７、Ｄ１）を調製した。
また、セメント組成物用粘性調整剤を水に変更したこと以外、同様にして、セメント組成物（ブランク）を調製した。
【００４８】
【表１】
2018145043.tif 000002
【００４９】
使用する材料及び道具を２０℃に温度調整しこの温度で、３０×６０ｃｍのスレート板に厚さ１ｃｍになるように金鏝で調製した各セメント組成物を塗りつけて、次の基準で鏝捌き性を評価した。この結果を下表に示す。
【００５０】
（鏝切れ）
○金鏝に試料が付着せず、平滑に塗りつけられた
△金鏝に試料が付着しないが、平滑に塗りつけられない
×金鏝に試料が付着する
【００５１】
（鏝伸び）
○試料を容易に金鏝で押し広げることができ、平滑にできる
△試料を容易に鏝で押し広げることができるが、平滑にできない
×試料を容易に押し広げることができない
【００５２】
【表２】
2018145043.tif 000003
【００５３】
（耐水性評価）
調製した各セメント組成物（１〜７、Ｄ１、ブランク）をモールド（内寸１０×１０×１ｃｍ）に流し込み、振動を与え表面を水平にし、２０℃で1週間静置後、モールドを外して、１０×１０×１ｃｍの評価用硬化体を作製した。
評価用硬化体の表面に０．０２±０．００５ｍＬの脱イオン水を滴下し、１０秒後に水滴の接触角（度）を測定し、測定結果を下表に示す。接触角が大きいほど、水が表面に濡れにくいことを意味し、耐水性に優れている。なお、接触角の測定は協和化学株式会社製コンタクトアングルメーターＣＡＡを用いて２０℃温調室にて実施した。
【００５４】
【表３】
2018145043.tif 000004
【００５５】
以上の通り、本発明のセメント組成物用粘性調整剤（１〜７）は、比較用のセメント組成物用粘性調整剤（Ｄ１）やブランクに比べて、鏝捌き性（鏝切れ性、鏝伸び性等）及び耐水性に優れていた。